(57)【要約】【課題】簡単な構成で釣り合い重り枠が広がることによる重りの落下を防止することができるとともに、取り付けの容易さから設置作業における作業効率の向上及び作業員の作業安全性をも図ることのできるエレベータの釣り合い重りを提供することができる。【解決手段】釣り合い重り枠２内に設置される重り３と、釣り合い重り枠２の縦枠２ａにおいて互いに対向する位置に設けられ、重り３を押さえる一対の固定具６と、一対の固定具６それぞれにその一端が固定される枠幅調整ボルト７と、一対の枠幅調整ボルト７の他端を連結し一対の固定具６の間の長さを調整可能とするターンバックル８とを備える。【選択図】図１
2009292621.tif 000002
【特許請求の範囲】
【請求項１】
釣り合い重り枠内に設置される重りと、
前記釣り合い重り枠の縦枠において互いに対向する位置に設けられ、前記重りを押さえる一対の固定具と、
前記一対の固定具それぞれにその一端が固定される枠幅調整ボルトと、
前記一対の枠幅調整ボルトの他端を連結し前記一対の固定具の間の長さを調整可能とするターンバックルと、
を備えることを特徴とするエレベータの釣り合い重り。
【請求項２】
前記固定具は、前記釣り合い重り枠の縦枠を挟み込むように前記釣り合い重り枠の縦枠に固定されることを特徴とする請求項１に記載のエレベータの釣り合い重り。
【請求項３】
前記枠幅調整ボルトは、前記重り押さえに複数設けられていることを特徴とする請求項１または請求項２に記載のエレベータの釣り合い重り。
【発明の詳細な説明】
【技術分野】
【０００１】
本発明は、エレベータの釣り合い重りに関する。
【背景技術】
【０００２】
エレベータ装置における釣り合い重りは、昇降路内において乗りかごが昇降するのに伴って、乗りかごとは反対方向に昇降する。図５はこれまでの釣り合い重りの全体を示す全体図である。釣り合い重り１００は、一対の縦枠１０１ａ，１０１ａ、上枠１０１ｂ、下枠１０１ｃからなる釣り合い重り枠１０１の中に重り１０２が設置されて構成される。
【０００３】
また、釣り合い重り枠１０１の四隅にはガイドシュー１０３が設けられ、このガイドシュー１０３がガイドレール１０４を挟み込むことで、釣り合い重り１００は昇降路内を外れることなくガイドレール１０４に沿って昇降する。
【０００４】
重り１０２は、その１つ１つが小さな塊であり、図示しない乗りかごの重さに合わせて釣り合い重り枠１０１内に設置される個数が決定される。重り１０２は下枠１０１ｃ上に積み重ねるように設置し、所定の個数が設置されると最上部の（最後に積み重ねた）重り１０２上に重り押さえ１０５が取り付けられる。この重り押さえ１０５は、重り１０２との間に隙間ができないように釣り合い重り枠の縦枠１０１ａ，１０１ａに固定される。これによって釣り合い重り１００の昇降や地震等の外部から強大な力が加えられたとしても個々の重り１０２が上下方向に移動することを防止することができる。
【０００５】
さらに、図５に示すように、それぞれの釣り合い重り枠の縦枠１０１ａ，１０１ａには、通しボルト１０６，１０６が取り付けられるている。地震等が発生して釣り合い重り１００に水平方向に力が加わると、重り１０２が動くことによって釣り合い重り枠１０１がガイドレール１０４の方向に広がる。さらに振動が強くなると、重り押さえ１０５が釣り合い重り枠１０１から外れ重り１０２が釣り合い重り１００から脱落するおそれがある。そこで通しボルト１０６，１０６を釣り合い重り枠の縦枠１０１ａ，１０１ａの間に設けてつなぎ、縦枠１０１ａ，１０１ａがガイドレール１０４側に広がること、及び縦枠１０１ａ，１０１ａが広がることによる重り１０２の釣り合い重り枠１０１からの脱落を防止する。
【０００６】
具体的には、縦枠１０１ａに穴を空けて通しボルト１０６の一端を貫通させ、ナットで縦枠１０１ａを挟み込むことによってボルト１０６を固定する。さらに、この通しボルト１０６，１０６の他端をターンバックル１０７にねじ込む。これにより、対向する一対の縦枠１０１ａの間は、一方の通しボルト１０６、ターンバックル１０７、他方の通しボルト１０６とによってつなげられる。そして、ターンバックル１０７を回転させることによって、釣り合い重り枠の縦枠１０１ａ，１０１ａ間の長さを調整することができ、例えば、縦枠１０１ａ，１０１ａによって間に収められている重り１０２を両側から力を掛けて挟み込むことが可能となる。
【０００７】
また、重りが釣り合い重り枠から外れることを防止する別の方法として、一体物としてその両端をガイドレール側へ折り曲げた重りの押え板を備えるつり合い重りが提案されている（特許文献１参照）。
【特許文献１】特開平１０−８１４６９号公報
【発明の開示】
【発明が解決しようとする課題】
【０００８】
しかしながら、特許文献１に開示された発明によれば、重りを抑えるのに押え板を使用するため、釣り合い重りの構造として押え板を使用する釣り合い重りでなければ使用できない。従って、押え板を使用しない釣り合い重りでは適用することができず一般的ではない。
【０００９】
また、図５を使用して説明した構造、方法では、エレベータ装置の設置の際に通しボルトを設置するために、釣り合い重り枠の縦枠に穴空け加工する必要がある。但し、この加工は高所での作業となるため、作業者の安全を確保することが困難となり易い上、不安定な姿勢での加工作業は加工精度の低下を招くことになる。そのため、その後の通しボルト、ターンバックル等の取り付け、調整に時間を要することになる。
【００１０】
本発明は上記課題を解決するためになされたものであり、本発明の目的は、簡単な構成で釣り合い重り枠が広がることによる重りの落下を防止することができるとともに、取り付けの容易さから設置作業における作業効率の向上及び作業員の作業安全性をも図ることのできるエレベータの釣り合い重りを提供することである。
【課題を解決するための手段】
【００１１】
本発明の実施の形態に係る特徴は、エレベータの釣り合い重りにおいて、釣り合い重り枠内に設置される重りと、釣り合い重り枠の縦枠において互いに対向する位置に設けられ、重りを押さえる一対の固定具と、一対の固定具それぞれにその一端が固定される枠幅調整ボルトと、一対の枠幅調整ボルトの他端を連結し一対の重り押さえの間の長さを調整可能とするターンバックルとを備える。
【発明の効果】
【００１２】
本発明によれば、簡単な構成で釣り合い重り枠が広がることによる重りの落下を防止することができるとともに、取り付けの容易さから設置作業における作業効率の向上及び作業員の作業安全性をも図ることのできるエレベータの釣り合い重りを提供することができる。
【発明を実施するための最良の形態】
【００１３】
以下、本発明の実施の形態について図面を参照して詳細に説明する。
【００１４】
図１は、本発明の実施の形態における釣り合い重りの全体を示す全体図である。釣り合い重り１は、一対の縦枠２ａ，２ａ、上枠２ｂ、下枠２ｃからなる釣り合い重り枠２の中に重り３が設置されて構成される。
【００１５】
また、釣り合い重り枠２の四隅にはガイドシュー４が設けられ、このガイドシュー４がガイドレール５を挟み込むことで、釣り合い重り３は昇降路内を外れることなくガイドレール５に沿って昇降することが可能とされている。
【００１６】
重り３はその１つ１つが小さな塊であり、下枠２ｃ上に積み重ねるように設置し、所定の個数が設置されると最上部の（最後に積み重ねた）重り３上に重り押さえ６が取り付けられる。この重り押さえ６の機能は、上述したように、釣り合い重り１の昇降や地震等の外部から強大な力が加えられたとしても個々の重り３が上下方向に移動することを防止するものである。なお、本発明の実施の形態においては、この「重り押さえ６」は、重り３を上から押さえて釣り合い重り枠２内に固定する働きの他に、後述する枠幅調整ボルトを固定するためにも用いられることから、以下からは「固定具６」と表わす。
【００１７】
固定具６には枠幅調整ボルト７，７の一端が固定されるとともに、枠幅調整ボルト７，７のそれぞれの他端はターンバックル８を利用して連結固定されている。
【００１８】
図２は、図１における釣り合い重り１をＡ−Ａ線で切断して見た断面図であり、固定具６、枠幅調整ボルト７及びターンバックル８がそれぞれ取り付けられ固定された状態を示している。また、図３は固定具６、枠幅調整ボルト７及びターンバックル８の組み立ての様子を示す説明図である。但し、固定具６、枠幅調整ボルト７及びターンバックル８の組み立てについては他方においても同様であることから、図３においては縦枠２ａのうち一方のみを示し、縦枠２ａの他方は省略している。
【００１９】
なお、図２及び図３では固定具６、枠幅調整ボルト７等の組み立て状態を明示するために重り３は二点破線で示している。固定具６はそれぞれの釣り合い重り枠の縦枠２ａの対向する位置に１つずつ固定されている。１つのターンバックル８とこのターンバックル８に取り付けられる２本の枠幅調整ボルト７が２つ、固定具６に固定されている。但し、固定具６に固定される枠幅調整ボルト７をいくつとするかは任意に設定することができる。
【００２０】
固定具６は、本発明の実施の形態においては第１の固定具６ａと第２の固定具６ｂとが結合されることによって構成される。第１の固定具６ａと第２の固定具６ｂとはそれぞれボルト１０ａとレールクリップ１０ｂと、ナット１０ｃとによって縦枠２ａに固定される。さらに、第１の固定具６ａと第２の固定具６ｂとは、枠幅調整ボルト７がそれぞれの固定具６に設けられた貫通孔を通りナットによって第１の固定具６ａと第２の固定具６ｂとを挟み込むように固定されることで結合されている。
【００２１】
第１の固定具６ａは、縦枠２ａに固定するためのボルト１０ａが嵌め込まれる面（以下、便宜上「Ａ面」という）と枠幅調整ボルト７が固定される面（以下、便宜上「Ｂ面」という）とが直角となるように連続的に形成される。さらにこのＢ面に対向する面（以下、便宜上「Ｃ面」という）もＡ面と直角となるように連続的に形成されている。従って、Ａ面とその両側に連続してＢ面、Ｃ面が形成され、略Ｊ字状の形状となる。さらに、このＣ面とＡ面との間には湾曲部Ｃ１が設けられている。
【００２２】
第１の固定具６ａを縦枠２ａに固定すると、Ｃ面が縦枠２ａに接することになる。但し、湾曲部Ｃ１の部分は縦枠２ａから浮き上がった状態となる。同様に第２の固定具６ｂを縦枠２ａに固定すると、湾曲部Ｃ１の部分が縦枠２ａから浮き上がった状態でＣ面が縦枠２ａに接する。
【００２３】
この状態において、第１の固定具６ａのＢ面と第２の固定具６ｂのＢ面とはその両面が接することになる。第１の固定具６ａのＢ面と第２の固定具６ｂのＢ面にはそれぞれ枠幅調整ボルト７が貫通できるように図示しない貫通孔が設けられている。第１の固定具６ａのＢ面と第２の固定具６ｂのＢ面が重複することによってこの貫通孔も重複することになる。従って、枠幅調整ボルト７は第１の固定具６ａと第２の固定具６ｂとを貫通することになる。枠幅調整ボルト７を貫通させて枠幅調整ボルト７に予め設けられているナット７ａと後述するナット１１によって第１の固定具６ａのＢ面と第２の固定具６ｂのＢ面とを挟み込むことによって、枠幅調整ボルト７は第１の固定具６ａ及び第２の固定具６ｂに固定される。
【００２４】
次に、固定具６、枠幅調整ボルト７及びターンバックル８をそれぞれ取り付ける流れについて、図４に示すフローチャートを使用しつつ、適宜、図３の説明図も参照して説明する。
【００２５】
まず、本発明に係る固定具６を取り付けるために既設の重り押さえを取り外す（ＳＴ１）。なお、このステップは既設の重り押さえが取り付けられている場合に必要となるステップであり、エレベータ装置の新規取り付けである場合に最初から本発明に係る固定具を使用する際には、このステップは不要である。
【００２６】
次に図３の説明図に示すように第１の固定具６ａと第２の固定具６ｂとを縦枠２ａに固定する（ＳＴ２）。この固定は、上述したボルト１０ａと、レールクリップ１０ｂと、ナット１０ｃとを利用して行われる。なお、この固定が第１の固定具６ａと第２の固定具６ｂぞれぞれのＢ面が重なるように行われるのは上述した通りである。
【００２７】
第１の固定具６ａと第２の固定具６ｂとが縦枠２ａに適切に固定されると、それぞれのＢ面に設けられた図示しない貫通孔の位置が合う。そのためそれぞれのＢ面が重複するにも拘わらず枠幅調整ボルト７を貫通させることのできる貫通孔が固定具６に設けられる。
【００２８】
この貫通孔に枠幅調整ボルト７の一端を貫通させて、予め備えられているナット７ａと別途用意されるナット１１との間に第１の固定具６ａ及び第２の固定具６ｂが挟まるように固定する（ＳＴ３）。このナット７ａは枠幅調整ボルト７の一端領域において回転自在に備えられていることから、固定具６との間においてその取り付けの長さを調節することができる。
【００２９】
一方、枠幅調整ボルト７の他端部にもネジが切られており、この部分にターンバックル８を取り付ける（ＳＴ４）。ここまでのステップで、一対の縦枠２ａ，２ａとの間が固定具６ａ，６ｂ、枠幅調整ボルト７、ターンバックル８とによって固定される。
【００３０】
その上で、ターンバックル８を回転させることで釣り合い重り枠２の枠幅（一方の縦枠２ａから他方の縦枠２ａまでの長さ）に合わせて枠幅調整ボルト７、ターンバックル８の長さを調整する（ＳＴ５）。この枠幅は、設置される釣り合い重り１ごとに決定されていることから、その枠幅に従って調整する。これによって、重り３は、釣り合い重り枠２に挟み込まれしっかりと固定されることになる。
【００３１】
このような構成を持つ固定具、枠幅調整ボルト、及びターンバックルを利用することによって、簡単な構成で釣り合い重り枠が広がることによる重りの落下を防止することができるとともに、取り付けの容易さから設置作業における作業効率の向上及び作業員の作業安全性をも図ることのできるエレベータの釣り合い重りを提供することができる。また、固定具の縦枠と接する部分に湾曲部が設けられていることから、釣り合い重り枠の多少の広がりは吸収することができ、重りの落下防止に資する。
【００３２】
さらに、枠幅調整ボルトは固定具のＢ面において固定されるため、固定用のナット１１は、縦枠２ａよりも外側、すなわち、ガイドレール５と縦枠２ａとの間に飛び出すことはない。従って、釣り合い重り１が昇降路を昇降するに当たってナット１１が昇降路内において釣り合い重り１に近接する外部機器に干渉することを避けることができる。
【００３３】
また、枠幅の調整には枠幅調整ボルト、ターンバックルの２つを用いることができる。そのため調整幅が大きくなることから、多くの釣り合い重りに使用することが可能となる。
【００３４】
なお、この発明は、上記実施の形態そのままに限定されるものではなく、実施段階ではその要旨を逸脱しない範囲で構成要素を変形して具体化できる。さらに、上記実施の形態に開示されている複数の構成要素を適宜組み合わせることにより種々の発明を形成できる。例えば、実施の形態に示される全構成要素から幾つかの構成要素を削除してもよい。更に、異なる実施の形態に亘る構成要素を適宜組み合わせてもよい。
【図面の簡単な説明】
【００３５】
【図１】本発明の実施の形態に係るエレベータの釣り合い重りの全体構成を示す図である。
【図２】図１におけるＡ−Ａ線で切断して見た断面図である。
【図３】固定具、枠幅調整ボルト及びターンバックルの組み立ての様子を示す説明図である。
【図４】固定具、枠幅調整ボルト及びターンバックルを取り付ける流れを示すフローチャートである。
【図５】従来のエレベータの釣り合い重りの全体構成を示す図である。
【符号の説明】
【００３６】
１  釣り合い重り
２  釣り合い重り枠
２ａ  縦枠
２ｂ  上枠
２ｃ  下枠
３  重り
４  ガイドシュー
５  ガイドレール
６  重り押さえ
６ａ、６ｂ  固定具
７  枠幅調整ボルト
８  ターンバックル
１０ａ  ボルト
１０ｂ  レールクリップ
１０ｃ  ナット
１１  ナット
【図１】
2009292621.tif 000003
【図２】
2009292621.tif 000004
【図３】
2009292621.tif 000005
【図４】
2009292621.tif 000006
【図５】
2009292621.tif 000007